(57)【特許請求の範囲】
【請求項１】
被加熱物を加熱する加熱部と、前記加熱部の加熱動作や使用環境を選択設定するための制御命令を入力する複数のキーを有する操作部と、前記操作部からの入力に基づいて前記加熱部の加熱動作を制御する制御部と、前記操作部で設定された設定モード内容を視覚的に表示する表示部と、複数組の音声データを記憶し、前記操作部で入力された設定モード内容に合わせて、前記制御部により、その記憶された音声データの中から音声データを出力することができ、その音声データの出力速度を変更できる音声出力部と、を備え、
前記音声データの出力速度である話速の変更設定は、前記操作部の話速キーの押し間隔時間の長さの計測により１音の長さを変更し、前記話速キーの押し間隔時間を長くすると話速を遅くし、且つ、反対に、前記話速キーの押し間隔時間を短くすると話速を早くすることにより計測した時間の長さに合わせた１音の長さの話速へ前記音声データの音声出力の速度を設定する加熱調理器。
【請求項２】
前記話速の変更設定において前記操作部の話速キーの押し間隔時間の長さに合わせて前記音声データの出力を１音のばして出力し続けることにより、実際に出力される１音の長さの差で話速のレベルが確認されて前記話速のレベルを変更する請求項１に記載の加熱調理器。
【請求項３】
被加熱物を加熱する加熱部と、前記加熱部の加熱動作や使用環境を選択設定するための制御命令を入力する複数のキーを有する操作部と、前記操作部からの入力に基づいて前記加熱部の加熱動作を制御する制御部と、前記操作部で設定された設定モード内容を視覚的に
表示する表示部と、複数組の音声データを記憶し、前記操作部で入力された設定モード内容に合わせて、前記制御部により、その記憶された音声データの中から音声データを出力することができ、その音声データの出力速度を変更できる音声出力部と、を備え、
前記音声データの出力速度である話速の変更設定は、前記操作部の話速キーの押し続ける時間の長さの計測により１音の長さを変更し、前記話速キーの押し続ける時間を長くすると話速を遅くし、且つ、反対に前記話速キーの押し続ける時間を短くすると話速を早くすることにより計測した時間の長さに合わせた１音の長さの話速へ前記音声データの音声出力の速度を設定する加熱調理器。
【請求項４】
前記話速の変更設定において前記話速キーの押し続ける時間の長さに合わせて前記音声データの出力を１音のばして出力し続けることにより、実際に出力される１音の長さの差で話速のレベルが確認されて前記話速のレベルを変更する請求項３に記載の加熱調理器。
【請求項５】
前記音声データの出力速度である前記話速の変更設定を行うキーとして、音声の大きさを設定する為の前記操作部の音量キーを併用して用いる請求項１〜４のいずれか１項に記載の加熱調理器。
【発明の詳細な説明】
【技術分野】
【０００１】
本発明は、一般家庭及び業務用として使用される加熱調理器に関するものである。
【背景技術】
【０００２】
従来、この種の加熱調理器は、聞き逃してしまった報知音を使用者によって繰り返し再生することを可能とすることで、使用者に確実に報知できるようにしている（例えば、特許文献１参照）。また、音声の音量を変更して、使用者が音声を聞きやすいように工夫し、使い勝手の向上を行うものもある（例えば、特許文献２参照）。
【先行技術文献】
【特許文献】
【０００３】
【特許文献１】特開２００７−０７８３０３号公報
【特許文献２】特開２００７−１９４０１０号公報
【発明の概要】
【発明が解決しようとする課題】
【０００４】
しかしながら、前記従来の構成では、騒音や使用者が他の事で注意がそれて、出力された音声を聞き逃した場合には、出力された音声データ内容を使用者に伝える手段としては、有効なものとなっていても、周囲環境に問題がなく、使用者にとって十分な音量であったとしても、音声内容を聞き取れない場合があり、その状況では、いくら聞きなおしても、聞き取れない状態から何も変化がないので、その音声出力内容を理解できないという課題を有していた。
【０００５】
本発明は、前記従来の課題を解決するもので、音声出力の出力速度（話速）を使用者の好みに合わせて変更することで、音声出力を聞き取れない場合は、その話速を遅くしてその出力内容を聞き取りやすくし、また、反対に話速を早くすることにより、より迅速に音声内容を把握して入力設定をすることができる。また、話速の設定に使い勝手を向上させることができる加熱調理器を提供することを目的とする。
【課題を解決するための手段】
【０００６】
前記従来の課題を解決するために、本発明の加熱調理器は、被加熱物を加熱する加熱部と、前記加熱部の加熱動作や使用環境を選択設定するための制御命令を入力する複数のキーを有する操作部と、前記操作部からの入力に基づいて前記加熱部の加熱動作を制御する制御部と、前記操作部で設定されたモード内容を視覚的に表示する表示部と、複数組の音声データを記憶し、前記操作部で入力された設定モード内容に合わせて、前記制御部により、その記憶された音声データの中から音声データを出力することができ、その音声データの出力速度を変更できる音声出力部と、を備え、前記音声データの出力速度である話速の変更設定は、前記操作部の話速キーの押し間隔時間の長さの計測により１音の長さを変更し、前記話速キーの押し間隔時間を長くすると話速を遅くし、且つ、反対に、前記話速キーの押し間隔時間を短くすると話速を早くすることにより計測した時間の長さに合わせた１音の長さの話速へ前記音声データの音声出力の速度を設定するものである。
【発明の効果】
【０００７】
本発明の加熱調理器は、音声出力の出力速度（話速）を使用者の好みに合わせて変更することで、音声出力を聞き取れない場合は、その話速を遅くしてその出力内容を聞き取りやすくし、また、反対に話速を早くすることにより、より迅速に音声内容を把握して入力設定をすることができ、使い勝手を向上させることができる。また、使用者が自分の感覚で直接話速設定を行えるため設定が容易で、使い勝手を向上することができる。
【図面の簡単な説明】
【０００８】
【図１】本発明の実施の形態１〜５における加熱調理器のブロック図
【図２】本発明の実施の形態２における加熱調理器の動作フローチャート
【図３】本発明の実施の形態３における加熱調理器の動作フローチャート
【図４】本発明の実施の形態４における加熱調理器の動作フローチャート
【発明を実施するための形態】
【０００９】
第１の発明は、被加熱物を加熱する加熱部と、前記加熱部の加熱動作や使用環境を選択設定するための制御命令を入力する複数のキーを有する操作部と、前記操作部からの入力に基づいて前記加熱部の加熱動作を制御する制御部と、前記操作部で設定されたモード内容を視覚的に表示する表示部と、複数組の音声データを記憶し、前記操作部で入力された設定モード内容に合わせて、前記制御部により、その記憶された音声データの中から音声データを出力することができ、その音声データの出力速度を変更できる音声出力部と、を備え、前記音声データの出力速度である話速の変更設定は、前記操作部の話速キーの押し間隔時間の長さの計測により１音の長さを変更し、前記話速キーの押し間隔時間を長くすると話速を遅くし、且つ、反対に、前記話速キーの押し間隔時間を短くすると話速を早くすることにより計測した時間の長さに合わせた１音の長さの話速へ前記音声データの音声出力の速度を設定するものである。これによって、音声出力を聞き取れない場合は、話速を遅くしてその出力内容を聞き取りやすくし、また、反対に話速を早くすることにより、より迅速に音声内容を把握して入力設定をすることで、使い勝手を向上させることができる。また、使用者が自分の感覚で直接話速設定を行えるため設定が容易で、使い勝手を向上することができる。
【００１０】
第２の発明は、特に、第１の発明において、前記話速の変更設定において前記操作部の話速キーの押し間隔時間の長さに合わせて前記音声データの出力を１音のばして出力し続けることにより、実際に出力される１音の長さの差で話速のレベルが確認されて前記話速のレベルを変更するとしたことにより、音声の話速レベルの確認を確実におこない使い勝手が向上する。
【００１１】
第３の発明は、被加熱物を加熱する加熱部と、前記加熱部の加熱動作や使用環境を選択設定するための制御命令を入力する複数のキーを有する操作部と、前記操作部からの入力に基づいて前記加熱部の加熱動作を制御する制御部と、前記操作部で設定された設定モード内容を視覚的に表示する表示部と、複数組の音声データを記憶し、前記操作部で入力された設定モード内容に合わせて、前記制御部により、その記憶された音声データの中から音声データを出力することができ、その音声データの出力速度を変更できる音声出力部と、を備え、前記音声データの出力速度である話速の変更設定は、前記操作部の話速キーの押し続ける時間の長さの計測により１音の長さを変更し、前記話速キーの押し続ける時間を長くすると話速を遅くし、且つ、反対に前記話速キーの押し続ける時間を短くすると話速を早くすることにより計測した時間の長さに合わせた１音の長さの話速へ前記音声データの音声出力の速度を設定するものである。これによって、音声出力を聞き取れない場合は、話速を遅くしてその出力内容を聞き取りやすくし、また、反対に話速を早くすることにより、より迅速に音声内容を把握して入力設定をすることで、使い勝手を向上させることができる。また、使用者が自分の感覚で直接話速設定を行えるため、設定が容易で、使い勝手を向上することができる。
【００１２】
第４の発明は、特に、第３の発明において、前記話速の変更設定において前記操作部の話速キーの押し続ける時間の長さに合わせて前記音声データの出力を１音のばして出力し続けることにより、実際に出力される１音の長さの差で話速のレベルが確認されて前記話速のレベルを変更するとしたことにより、音声の話速レベルの確認を確実におこない使い勝手が向上する。
【００１３】
第５の発明は、特に、第１〜４のいずれか１つの発明において、前記音声データの出力速度である前記話速の変更設定を行うキーとして、音声の大きさを設定する為の前記操作部の音量キーを併用して用いることにより、操作部のキー数を減らし操作性の向上やコスト削減による低コスト化をすることができる。
【００１４】
以下、本発明の実施の形態について、図面を参照しながら説明する。なお、この実施形態によって本発明が限定されるものではない。
【００１５】
（実施の形態１）
図１は、本発明の第１〜５の実施の形態における加熱調理器のブロック図を示すものである。
【００１６】
図１に示すように、加熱部１、操作部２、制御部３、表示部４、音声出力部５、音量選択キー６、話速キー７、モード設定キー８で構成している。
【００１７】
以上のように構成された加熱調理器について、以下その動作、作用を説明する。
【００１８】
まず、使用者が操作部２により所定の操作を行うと、操作部２からの入力に基づいて制御部３が加熱部１と表示部４と音声出力部５に対してそれぞれ制御信号を送信し、操作部２により選択された加熱モード動作を加熱部１が行い、表示部４にはその動作状態の表示を行い、音声出力部５はその動作状態に合わせた音声データを出力する。
【００１９】
また、操作部２は、音量選択キー６、話速キー７及び、モード設定キー８を備え、制御部３は、タイマー９を備えている。
【００２０】
使用者は、音声出力に出力速度（話速）を変更する場合は、図１の話速キー７を押すことにより、その話速レベルを使用者の好みに合わせ変更を行い、音声出力を聞き取れない場合は、話速を遅くしてその出力内容を聞き取りやすくし、また、反対に話速を早くすることにより、より迅速に音声内容を把握して入力設定をすることで、使い勝手を向上させることができる。
【００２１】
（実施の形態２）
図２は、本発明の第２の実施の形態における加熱調理器の動作フローチャートであり、複数押しの話速変換設定動作を示している。
【００２２】
本実施の形態においては、図１のように構成された加熱調理器について、図２の動作フローチャートにより説明する。図２の動作フローチャートにおいては、例えば図１の話速キー７の長押し等により、話速変更モードへ遷移するものである。
【００２３】
Ｓｔｅｐ１で話速変更モードを開始する。次に、Ｓｔｅｐ２で図１の操作部２の話速キー７が入力されるのを待つ。
【００２４】
前記話速キーが入力されると、Ｓｔｅｐ３において、次に話速キーが入力されるまでの時間を図１の制御部３のタイマー９の機能により計測する。次に、Ｓｔｅｐ４において、２回目の話速キー入力を確認したら、Ｓｔｅｐ５でタイマー９の時間計測を終了する。
【００２５】
Ｓｔｅｐ６は上記で計測設定されたレベルが問題なければ、Ｓｔｅｐ７においてタイマー９で計測した結果時間に合わせた話速へ音声出力の速度を設定し、話速変更モードを終了する。
【００２６】
このように、話速をレベル表示や速度時間等を選択して設定することに比べ、使用者が自分の感覚で直接話速設定を行えるため、設定が容易で、使い勝手も向上させることができる。
【００２７】
（実施の形態３）
図３は、本発明の第３の実施の形態における加熱調理器の動作フローチャートであり、長押しの話速変換設定動作を示している。
【００２８】
本実施の形態においては、前記図１のように構成された加熱調理器について、図３の動作フローチャートにより説明をする。
【００２９】
Ｓｔｅｐ１で話速変更モードを開始する。次に、Ｓｔｅｐ２で図１の操作部２の話速キー７が入力されるのを待つ。
【００３０】
話速キー７が入力されると、Ｓｔｅｐ３において、次に話速キーが離されるまでの時間を図１の制御部３のタイマー９の機能により計測する。次に、Ｓｔｅｐ４において、話速キーが離されたことを確認したら、Ｓｔｅｐ５で前記タイマー９の時間計測を終了する。
【００３１】
Ｓｔｅｐ６は上記で設定されたレベルが問題なければ、Ｓｔｅｐ７においてタイマー９で計測した結果時間に合わせた話速へ音声出力の速度を設定し、話速変更モードを終了する。
【００３２】
このように、話速をレベル表示や速度時間等を選択して設定することに比べ、使用者が自分の感覚で直接話速設定を行えるため、設定が容易で、使い勝手も向上させることができる。
【００３３】
（実施の形態４）
図４は、本発明の第４の実施の形態における加熱調理器の動作フローチャートであり、音声出力動作を示している。
【００３４】
本実施の形態においては、前記図１のように構成された加熱調理器について、前記実施の形態２をベースにしたモデルとした図４の動作フローチャートにより説明を行う。
【００３５】
Ｓｔｅｐ１で話速変更モードを開始する。次に、Ｓｔｅｐ２で図１の操作部２の話速キー７が入力されるのを待つ。話速キー７が入力されると、Ｓｔｅｐ３において、次に話速キーが入力されるまでの時間を図１の制御部３のタイマー９の機能により計測する。
【００３６】
ここで、Ｓｔｅｐ４で話速設定時の音声データを出力するが、Ｓｔｅｐ５で２回目の話速キー入力が確認できるまで、つまり、話速設定時間分、その音声出力をのばして出力する。
【００３７】
例えば、話速設定時の音声データの出力が”１「イチ」”の場合は、Ｓｔｅｐ４からＳｔｅｐ５の話速キー２回目入力、Ｓｔｅｐ６のタイマーカウント終了、まで「イー」と出力し続け、Ｓｔｅｐ７において音声出力終了で「チ」を出力する。
【００３８】
Ｓｔｅｐ８において上記で設定されたレベルで問題なければ、Ｓｔｅｐ９で話速変更モードを終了する。ここでは詳細を省略するが、上記話速設定方法が前記実施形態３をベースにしたものも音声出力動作は同様である。
【００３９】
（実施の形態５）
本実施の形態においては、前記実施の形態２〜４において、使用した話速キーの代わりとして、音量キーを使用する。話速モードへの遷移は、図１の操作部２における複数のモード設定キー及び音量キーとの組み合わせによる複数押しを行うことで遷移させる。音量キーを用いることで、話速設定にそれ専用の話速キーを設ける必要がなくなり、また、音声に関連する音量キーを用いることで使用者に違和感を与えることなく、操作部のキー数を減らすことで操作性の向上やコスト削減による低コスト化をすることができる。
【産業上の利用可能性】
【００４０】
以上のように、本発明にかかる加熱調理器は、音声出力の出力速度（話速）を使用者の好みに合わせて変更することで、音声出力を聞き取れない場合は、その話速を遅くしてその出力内容を聞き取りやすくし、また、反対に話速を早くすることにより、より迅速に音声内容を把握して入力設定をすることができ、また、その設定として使用者が自分の感覚で直接話速設定を行えるため、話速をレベル表示や速度時間等を選択して設定することに比べ、設定が容易で使い勝手も向上させることができるため、加熱調理器だけでなくＡＶ
機器などの生活家電の用途にも適用できる。
【符号の説明】
【００４１】
１  加熱部
２  操作部
３  制御部
４  表示部
５  音声出力部
６  音量選択キー
７  話速キー
８  モード設定キー
９  タイマー
【図１】
0005609521.tif 000002
【図２】
0005609521.tif 000003
【図３】
0005609521.tif 000004
【図４】
0005609521.tif 000005